(57)【要約】【課題】吸い込み方向を特定することなく、更にはイオン風の発生によって積極的に外周からの空気の取り込みを実現できる装置を提供すること。【解決手段】本発明の空気浄化装置は、平板状の集塵極１と放電極２との間で発生するイオン風を用いて空気を流動させ、複数の集塵極１を放射状に配置し、放電極２を集塵極１間に配置し、集塵極１の外周部を空気の吸入口４としたことを特徴とする。【選択図】        図１
2009106844.tif 000002
【特許請求の範囲】
【請求項１】
平板状の集塵極と放電極との間で発生するイオン風を用いて空気を流動させる空気浄化装置であって、
複数の前記集塵極を放射状に配置し、前記放電極を前記集塵極間に配置し、前記集塵極の外周部を空気の吸入口としたことを特徴とする空気浄化装置。
【請求項２】
前記吸入口が全周に形成されるように前記集塵極と放電極を配置したことを特徴とする請求項１に記載の空気浄化装置。
【請求項３】
複数の前記集塵極及び放電極を放射状に配置することで前記集塵極と前記放電極の内周部に空間を形成し、前記内周部空間の上部または下部を開放して空気の吐出口としたことを特徴とする請求項１に記載の空気浄化装置。
【請求項４】
複数の前記集塵極及び放電極を放射状に配置し、さらに前記集塵極及び前記放電極を上方または下方に向かって円錐状に開くように配置したことを特徴とする請求項１に記載の空気浄化装置。
【請求項５】
複数の前記集塵極及び放電極を放射状に配置し、さらに前記集塵極及び前記放電極の内周側のみを上方または下方に向かって円錐状に開くように配置したことを特徴とする請求項１に記載の空気浄化装置。
【請求項６】
複数の前記集塵極及び放電極を放射状に配置し、さらに前記集塵極及び前記放電極を上方または下方に向かうに従って角度が大きく開くように円錐状に配置したことを特徴とする請求項１に記載の空気浄化装置。
【請求項７】
複数の前記集塵極及び放電極を放射状に配置することで前記集塵極と前記放電極の内周部に空間を形成し、その空間に高電圧発生装置を前記集塵極と前記放電極との空間を確保しながら配置することを特徴とする請求項１に記載の空気浄化装置。
【請求項８】
前記集塵極に活性炭シートを貼り付けることを特徴とする請求項１に記載の空気浄化装置。
【請求項９】
前記集塵極の下部にドレンパンを、前記集塵極の上部に給水パンをそれぞれ配置し、前記ドレンパンに貯留される洗浄水を前記給水パンに導く洗浄水循環ポンプを設けたことを特徴とする請求項１に記載の空気浄化装置。
【請求項１０】
前記給水パンの上部に雨水取入口を設けたことを特徴とする請求項９に記載の空気浄化装置。
【発明の詳細な説明】
【技術分野】
【０００１】
本発明は、平板状の集塵極と放電極との間で発生するイオン風を用いて空気を流動させる空気浄化装置に関する。
【背景技術】
【０００２】
従来からイオン風を利用した空気浄化装置が提案されている。
例えば、特許文献１は、ガスの流れを横切る方向にイオン風を発生させることで集塵効率を高めている。
また、特許文献１のような送風手段を用いることなく、イオン風を利用することで送風手段を無くす方法も提案されている（特許文献２、３、４、５、６）。
特許文献２から６の装置は、イオン風による送風ではファンのような送風手段と比較して風量が小さいため、特定の方向から吸い込むものである。
一方、イオン風を利用することで送風手段を無くす装置において、吸い込み方向を特定しないものも提案されている（特許文献７、８）。
また、イオン風を利用するタイプの中で送風手段を持たせたものも提案されている（特許文献９）。
【特許文献１】特開２００７−１１７９６８号公報
【特許文献２】特開平１０−２９６１２９号公報
【特許文献３】特開平１０−９９７１７号公報
【特許文献４】特開平１１−５７５３０号公報
【特許文献５】特開平１０−３０９４９３号公報
【特許文献６】特開平１１−９０２７１号公報
【特許文献７】特開２００４−３５８３６３号公報
【特許文献８】特開２００５−５２５２２１号公報
【特許文献９】特開平７−３０８６０２号公報
【発明の開示】
【発明が解決しようとする課題】
【０００３】
例えば屋外の沿道用空気浄化装置の場合には、風向きなどの条件が変わることで空気の流れ方向が変わるため、特許文献７、８の装置のような全周を吸込口とした装置が適する。
しかし、特許文献９においても課題としているように、特許文献７、８の装置では、下部から上部に向かうイオン風なので、外周からの積極的な吸い込みを誘発することはない。
【０００４】
そこで本発明は、吸い込み方向を特定することなく、更にはイオン風の発生によって積極的に外周からの空気の取り込みを実現できる装置を提供することを目的とする。
【課題を解決するための手段】
【０００５】
請求項１記載の本発明の空気浄化装置は、平板状の集塵極と放電極との間で発生するイオン風を用いて空気を流動させる空気浄化装置であって、複数の前記集塵極を放射状に配置し、前記放電極を前記集塵極間に配置し、前記集塵極の外周部を空気の吸入口としたことを特徴とする。
請求項２記載の本発明は、請求項１に記載の空気浄化装置において、前記吸入口が全周に形成されるように前記集塵極と放電極を配置したことを特徴とする。
請求項３記載の本発明は、請求項１に記載の空気浄化装置において、複数の前記集塵極及び放電極を放射状に配置することで前記集塵極と前記放電極の内周部に空間を形成し、前記内周部空間の上部または下部を開放して空気の吐出口としたことを特徴とする。
請求項４記載の本発明は、請求項１に記載の空気浄化装置において、複数の前記集塵極及び放電極を放射状に配置し、さらに前記集塵極及び前記放電極を上方または下方に向かって円錐状に開くように配置したことを特徴とする。
請求項５記載の本発明は、請求項１に記載の空気浄化装置において、複数の前記集塵極及び放電極を放射状に配置し、さらに前記集塵極及び前記放電極の内周側のみを上方または下方に向かって円錐状に開くように配置したことを特徴とする。
請求項６記載の本発明は、請求項１に記載の空気浄化装置において、複数の前記集塵極及び放電極を放射状に配置し、さらに前記集塵極及び前記放電極を上方または下方に向かうに従って角度が大きく開くように円錐状に配置したことを特徴とする。
請求項７記載の本発明は、請求項１に記載の空気浄化装置において、複数の前記集塵極及び放電極を放射状に配置することで前記集塵極と前記放電極の内周部に空間を形成し、その空間に高電圧発生装置を前記集塵極と前記放電極との空間を確保しながら配置することを特徴とする。
請求項８記載の本発明は、請求項１に記載の空気浄化装置において、前記集塵極に活性炭シートを貼り付けることを特徴とする。
請求項９記載の本発明は、請求項１に記載の空気浄化装置において、前記集塵極の下部にドレンパンを、前記集塵極の上部に給水パンをそれぞれ配置し、前記ドレンパンに貯留される洗浄水を前記給水パンに導く洗浄水循環ポンプを設けたことを特徴とする。
請求項１０記載の本発明は、請求項９に記載の空気浄化装置において、前記給水パンの上部に雨水取入口を設けたことを特徴とする。
【発明の効果】
【０００６】
本発明によれば、イオン風の発生によって積極的に外周からの空気の取り込みを実現できる。
【発明を実施するための最良の形態】
【０００７】
本発明の第１の実施の形態による空気浄化装置は、複数の集塵極を放射状に配置し、放電極を集塵極間に配置し、集塵極の外周部を空気の吸入口としたものである。本実施の形態によれば、集塵極の間隔が内周部ほど狭いため、放電極から集塵極に向かって発生するイオン風の風速が内周部ほど早くなるので動圧が上昇する。その分静圧が低くなるため、外周部から内周部に向かう空気の流れが発生し、外周部からの空気の取り込みを行うことができ、しかも集塵極に浮遊粒子状物質（ＳＰＭ）などの粒子を集塵することができる。
本発明の第２の実施の形態は、第１の実施の形態による空気浄化装置において、吸入口が全周に形成されるように集塵極と放電極を配置したものである。本実施の形態によれば、３６０度いずれの方向からも積極的に空気を取り込むことができる。
本発明の第３の実施の形態は、第１の実施の形態による空気浄化装置において、複数の集塵極及び放電極を放射状に配置することで集塵極と放電極の内周部に空間を形成し、内周部空間の上部または下部を開放して空気の吐出口としたものである。本実施の形態によれば、外周部から吸い込んだ空気を内周部空間に流出させ、その後上部または下部から空気を吐出させることができ、外周部からのスムーズな空気の流入を実現することができる。
本発明の第４の実施の形態は、第１の実施の形態による空気浄化装置において、複数の集塵極及び放電極を放射状に配置し、さらに集塵極及び放電極を上方または下方に向かって円錐状に開くように配置したものである。本実施の形態によれば、外周部から内周部を経由しての空気の流入をさらにスムーズに実現することができる。
本発明の第５の実施の形態は、第１の実施の形態による空気浄化装置において、複数の集塵極及び放電極を放射状に配置し、さらに集塵極及び放電極の内周側のみを上方または下方に向かって円錐状に開くように配置したものである。本実施の形態によれば、集塵極、放電極の外周部形状は空気浄化装置に対して鉛直であることから、容易に組み立てることができる。
本発明の第６の実施の形態は、第１の実施の形態による空気浄化装置において、複数の集塵極及び放電極を放射状に配置し、さらに集塵極及び放電極を上方または下方に向かうに従って角度が大きく開くように円錐状に配置したものである。本実施の形態によれば、外周部から内周部を経由しての空気の流入をさらにスムーズに実現することができる。
本発明の第７の実施の形態は、第１の実施の形態による空気浄化装置において、複数の集塵極及び放電極を放射状に配置することで集塵極と放電極の内周部に空間を形成し、その空間に高電圧発生装置を集塵極と放電極との空間を確保しながら配置するものである。本実施の形態によれば、高電圧発生装置を空気浄化装置の中央に配置することができ、省スペース化を図ることができる。
本発明の第８の実施の形態は、第１の実施の形態による空気浄化装置において、集塵極に活性炭シートを貼り付けるものである。本実施の形態によれば、浮遊粒子状物質（ＳＰＭ）などの粒子以外にもＮＯ２など窒素酸化物も同時に除去することができる。
本発明の第９の実施の形態は、第１の実施の形態による空気浄化装置において、集塵極の下部にドレンパンを、集塵極の上部に給水パンをそれぞれ配置し、ドレンパンに貯留される洗浄水を給水パンに導く洗浄水循環ポンプを設けたものである。本実施の形態によれば、洗浄水を循環利用して集塵極の洗浄を行うことができる。
本発明の第１０の実施の形態は、第９の実施の形態による空気浄化装置において、給水パンの上部に雨水取入口を設けたものである。本実施の形態によれば、雨水を利用した集塵極の洗浄を行うことができる。
【実施例】
【０００８】
以下本発明の実施例について図面に基づいて説明する。
図１は本発明の一実施例による空気浄化装置の構成を示す透過斜視図、図２は同装置の空気流れを示す上面図、図３は図２のＡ部拡大図、図４は同装置の放電極の平面図である。
本実施例の空気浄化装置は、特に駐車場、地下道、沿道、トンネル内において用いられる装置である。
同空気浄化装置は、平板状の集塵極１と放電極２とを備えており、複数の集塵極１を放射状に配置することで、これらの集塵極１の内周部に内周部空間３が形成され、吸入口４が全周に形成される。放電極２は、集塵極１間にそれぞれ配置されている。内周部空間３の上部は、空気の吐出口３Ａとして開放されている。
集塵極１の下部には、円筒状で有底のドレンパン５を、集塵極１の上部には、ドーナツ状の給水パン６をそれぞれ配置している。給水パン６の上部には、雨水取入口６Ａを設けている。また、ドレンパン５に貯留される洗浄水を給水パン６に導く洗浄水循環ポンプ７を設けている。
集塵極１の外周には、本体ケース８を配置している。本体ケース８は、ドレンパン５の側面と、給水パン６の側面にそれぞれ連接され、吸入口４に対向する位置には、短冊状の開口部８Ａが形成されている。
また、内周部空間３には、円筒状の高電圧発生装置９が配置され、集塵極１と高電圧発生装置９との間にはドーナツ状に空間が形成されている。こうすることにより、高電圧発生装置9を沿道浄化機器の内部に配置することができ、省スペース化を図ることができる。
図４に示すように、放電極２は、その端面に先端が尖った形状をした複数の突起を有している。複数の突起は、等間隔に設けられていることが好ましい。放電極２の突起の先端角度は１０度から４０度程度が好ましい。
【０００９】
図５は本発明の一実施例による図１の空気浄化装置の縦断面図を示す。図５に示すように、集塵極１は矩形であり、垂直に配置されている。空気は外周部より吸い込まれ、イオン風により内周部空間３に到達し、吐出口３Ａより浄化後の空気が吐出される。
図６は、集塵極１を斜めに配置することで内周部空間３を円錐状に開くようにしたものである。この実施例によると、内周部空間３での空気流をスムーズにすることができる。
図７は、内周側空間３を円錐状に形成されるように集塵極１の内周側を斜めにし、外周側は鉛直に配置したものである。この実施例によると、集塵極１、放電極２の外周部形状は空気浄化装置に対して鉛直であることから、容易に組み立てることができる。
図８は、内周側空間３を円錐状に形成されるように集塵極１の内周側の角度が上方に向かうに従って大きく開くように配置したものである。この実施例によると、内周部空間３での空気流をさらにスムーズにできる空気浄化機器の組立を容易に行うことができる。
図９は本発明の実施例を説明するものであり、図２のＡ部拡大図である。図９に示すように、集塵極１の表面に活性炭シート１０を貼り付けている。これにより、浮遊粒子状物質（ＳＰＭ）などの粒子以外にもＮＯ２など窒素酸化物も同時に除去することができる。この活性炭シート１０は、高活性炭素繊維（ＡＣＦ）などが適切である。
【００１０】
本装置は、高電圧発生装置９によって放電極２に高電圧を印加することで、放電極２から集塵極１に向けてコロナ放電を生じ、コロナ放電によるイオンが移動する際に、イオン風が誘起され空気の流れを生じる。それぞれの集塵極１は、放射状に配置されるため、外周部の間隔に比べて内周部の間隔が狭くなっている。従って、放電極２から集塵極１に向かって発生するイオン風の風速が内周部ほど早くなるので動圧が上昇する。その分静圧が低くなるため、外周部から内周部に向かう空気の流れが発生し、外周部からの空気の取り込みを行うことができる。
【産業上の利用可能性】
【００１１】
本発明の空気浄化装置は、主に沿道空気浄化装置として、浮遊粒子状物質（ＳＰＭ）や二酸化窒素（ＮＯ２）の除去装置として適している。
【図面の簡単な説明】
【００１２】
【図１】本発明の一実施例による空気浄化装置の構成を示す透過斜視図
【図２】同装置の空気流れを示す上面図
【図３】図２のＡ部拡大図
【図４】同装置の放電極の平面図
【図５】同装置の一実施例の集塵極の形状説明図
【図６】同装置の一実施例の集塵極の形状説明図
【図７】同装置の一実施例の集塵極の形状説明図
【図８】同装置の一実施例の集塵極の形状説明図
【図９】同装置の一実施例の説明のための図２のＡ部拡大図
【符号の説明】
【００１３】
１    集塵極
２    放電極
３    内周部空間
３Ａ  吐出口
４    吸入口
５    ドレンパン
６    給水パン
６Ａ  雨水取入口
７    洗浄水循環ポンプ
８    本体ケース
８Ａ  開口部
９    高電圧発生装置
１０  活性炭シート
【図１】
2009106844.tif 000003
【図２】
2009106844.tif 000004
【図３】
2009106844.tif 000005
【図４】
2009106844.tif 000006
【図５】
2009106844.tif 000007
【図６】
2009106844.tif 000008
【図７】
2009106844.tif 000009
【図８】
2009106844.tif 000010
【図９】
2009106844.tif 000011